(57)【要約】  【課題】  立ち上がり時間の短縮化および消費電力の低減化を図ることができる定着装置および画像形成装置を提供すること。  【解決手段】  定着装置を棒状ヒータ１が内部に配設された加熱ローラ３、この加熱ローラ３と圧接するように配置された加圧ローラ４、および加熱ローラ３の外側に定着ローラの外周部を覆うように配設された断面円弧状の誘導加熱コイル２により構成する。加熱ローラ３および加圧ローラ４の回転によって、ニップ部にトナー像６を担持した用紙５を引き込む。そして、加熱ローラ３と加圧ローラ４とでトナー像６を加熱溶着させて用紙５に定着する。定着装置の起動時および定着処理の初期段階において、加熱ローラ３を誘導加熱コイル２および棒状ヒータ１を併用して加熱することにより、加熱ローラ３を必要温度にまで上昇させる時間の短縮化を図ることができる。  【選択図】  図１
2006078603.tif 000002
【特許請求の範囲】
【請求項１】
内部に低損失特性のヒータを有する加熱ローラと、
前記加熱ローラと圧接して配設された加圧ローラと、
電磁波により前記加熱ローラの表面に渦電流を生じさせて、前記加熱ローラの加熱を外部から誘導する加熱誘導手段と、
を備え、
前記加熱ローラと前記加圧ローラにより記録媒体が挟持されることにより、トナー像を前記記録媒体上に加熱溶着する熱ローラ定着方式を用いた定着装置であって、
当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、
前記加熱誘導手段は、前記起動時および前記定着時の初期段階に前記加熱ローラの誘導加熱処理を行い、
前記ヒータは、前記定着時の前記初期段階以降における前記加熱ローラの加熱処理を行うことを特徴とする定着装置。
【請求項２】
内部に低損失特性のヒータを有する加熱ローラと、
前記加熱ローラと圧接して配設された加圧ローラと、
電磁波により前記加熱ローラの表面に渦電流を生じさせて、前記加熱ローラの加熱を外部から誘導する加熱誘導手段と、
を備え、
前記加熱ローラと前記加圧ローラにより記録媒体が挟持されることにより、トナー像を前記記録媒体上に加熱溶着する熱ローラ定着方式を用いた定着装置であって、
当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、
前記加熱誘導手段は、前記起動時および前記定着時の初期段階に前記加熱ローラの誘導加熱処理を行い、
前記ヒータは、前記起動時および前記定着時の前記初期段階以降における前記加熱ローラの加熱処理を行うことを特徴とする定着装置。
【請求項３】
内部に低損失特性のヒータを有する加熱ローラと、
前記加熱ローラと圧接して配設された加圧ローラと、
電磁波により前記加熱ローラの表面に渦電流を生じさせて、前記加熱ローラの加熱を外部から誘導する加熱誘導手段と、
を備え、
前記加熱ローラと前記加圧ローラにより記録媒体が挟持されることにより、トナー像を前記記録媒体上に加熱溶着する熱ローラ定着方式を用いた定着装置であって、
当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、
前記加熱誘導手段は、前記起動時に前記加熱ローラの誘導加熱処理を行い、
前記ヒータは、前記待機時および前記定着時における前記加熱ローラの加熱処理を行うことを特徴とする定着装置。
【請求項４】
内部に低損失特性のヒータを有する加熱ローラと、
前記加熱ローラと圧接して配設された加圧ローラと、
電磁波により前記加熱ローラの表面に渦電流を生じさせて、前記加熱ローラの加熱を外部から誘導する加熱誘導手段と、
を備え、
前記加熱ローラと前記加圧ローラにより記録媒体が挟持されることにより、トナー像を前記記録媒体上に加熱溶着する熱ローラ定着方式を用いた定着装置であって、
当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、
前記加熱誘導手段は、前記起動時に前記加熱ローラの誘導加熱処理を行い、
前記ヒータは、前記起動時、前記待機時および前記定着時に渡って前記加熱ローラの加熱処理を行うことを特徴とする定着装置。
【請求項５】
内部に低損失特性のヒータを有する加熱ローラと、
前記加熱ローラと同期周動するベルトを介して前記加熱ローラの熱が伝達される定着ローラと、
前記定着ローラと圧接して配設された加圧ローラと、
電磁波により前記加熱ローラの表面に渦電流を生じさせて、前記加熱ローラの加熱を外部から誘導する加熱誘導手段と、
を備え、
前記定着ローラと前記加圧ローラにより記録媒体が挟持されることにより、トナー像を前記記録媒体上に加熱溶着する熱ローラ定着方式を用いた定着装置であって、
当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、
前記加熱誘導手段は、前記起動時および前記定着時の初期段階に前記加熱ローラの誘導加熱処理を行い、
前記ヒータは、前記定着時の前記初期段階以降における前記加熱ローラの加熱処理を行うことを特徴とする定着装置。
【請求項６】
内部に低損失特性のヒータを有する加熱ローラと、
前記加熱ローラと同期周動するベルトを介して前記加熱ローラの熱が伝達される定着ローラと、
前記定着ローラと圧接して配設された加圧ローラと、
電磁波により前記加熱ローラの表面に渦電流を生じさせて、前記加熱ローラの加熱を外部から誘導する加熱誘導手段と、
を備え、
前記定着ローラと前記加圧ローラにより記録媒体が挟持されることにより、トナー像を前記記録媒体上に加熱溶着する熱ローラ定着方式を用いた定着装置であって、
当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、
前記加熱誘導手段は、前記起動時および前記定着時の初期段階に前記加熱ローラの誘導加熱処理を行い、
前記ヒータは、前記起動時および前記定着時の前記初期段階以降における前記加熱ローラの加熱処理を行うことを特徴とする定着装置。
【請求項７】
内部に低損失特性のヒータを有する加熱ローラと、
前記加熱ローラと同期周動するベルトを介して前記加熱ローラの熱が伝達される定着ローラと、
前記定着ローラと圧接して配設された加圧ローラと、
電磁波により前記加熱ローラの表面に渦電流を生じさせて、前記加熱ローラの加熱を外部から誘導する加熱誘導手段と、
を備え、
前記定着ローラと前記加圧ローラにより記録媒体が挟持されることにより、トナー像を前記記録媒体上に加熱溶着する熱ローラ定着方式を用いた定着装置であって、
当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、
前記加熱誘導手段は、前記起動時に前記加熱ローラの誘導加熱処理を行い、
前記ヒータは、前記待機時および前記定着時における前記加熱ローラの加熱処理を行うことを特徴とする定着装置。
【請求項８】
内部に低損失特性のヒータを有する加熱ローラと、
前記加熱ローラと同期周動するベルトを介して前記加熱ローラの熱が伝達される定着ローラと、
前記定着ローラと圧接して配設された加圧ローラと、
電磁波により前記加熱ローラの表面に渦電流を生じさせて、前記加熱ローラの加熱を外部から誘導する加熱誘導手段と、
を備え、
前記定着ローラと前記加圧ローラにより記録媒体が挟持されることにより、トナー像を前記記録媒体上に加熱溶着する熱ローラ定着方式を用いた定着装置であって、
当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、
前記加熱誘導手段は、前記起動時に前記加熱ローラの誘導加熱処理を行い、
前記ヒータは、前記起動時、前記待機時および前記定着時に渡って前記加熱ローラの加熱処理を行うことを特徴とする定着装置。
【請求項９】
請求項１乃至請求項８のいずれか１の請求項に記載の定着装置を備えたことを特徴とする画像形成装置。
【発明の詳細な説明】
【技術分野】
【０００１】
本発明は、熱ローラ定着方式を用いて紙等の媒体にトナー像を固着させる定着装置、およびこのような定着装置を搭載した、例えば、電子複写装置、プリンタ装置等の画像形成装置に関する。
【背景技術】
【０００２】
電子複写装置やプリンタ装置等の可視像を形成する際にトナーを用いる画像形成装置には、トナー像を紙等の記録媒体に固着（定着）させるための定着装置が備えられている。
このような定着装置の定着方式の一つに熱ローラ定着方式がある。この熱ローラ定着方式は、加熱される加熱ローラと、この加熱ローラと圧接された定着ローラによって記録媒体を挟持しながら搬送する間に、トナー像を記録媒体に加熱溶着する方式である。
熱ローラ定着方式では、加熱溶着するために棒状のハロゲンヒータを加熱ローラまたは定着ローラの内側に配設するタイプのものが一般的であった。
【０００３】
近年では、立ち上がり（起動）時間をさらに早くするために、局部加熱方式や熱容量的に優れた特性を有する誘導加熱方式の原理を利用した定着装置の開発が進められている。
特に、誘導加熱方式は、加熱ローラを金属導電体で形成し、この加熱ローラを誘導コイルから発生する電磁波により生じる渦電流によって加熱するものであり、所定温度に達するまでの立ち上がり時間が短くすることができるため、待機時間に消費する電力を低減化することができる点からも、注目されている。
しかしながら、誘導加熱方式を用いた定着装置では、電磁波を誘導コイルにおいて発生させる際に、確実に誘導加熱インバータにおいてスイッチングロスが生じてしまうため、入力電力の８５％程度しか有効熱量とすることができなかった。即ち、誘導加熱方式は、電気的効率の面において優れたものではなかった。
そこで従来、誘導加熱方式を用いた定着装置の特性を改善するための技術が下記の特許文献をはじめ種々提案されている。
【０００４】
【特許文献１】特開２００２−３２８５５５公報
【特許文献２】特開２００１−３４３８６０公報
【０００５】
特許文献１には、定着ローラ（加熱ローラ）内部にシーズヒータやニクロム線ヒータ等の抵抗発熱体により構成される予熱ヒータを配設し、定着ローラ外部に誘導加熱用の誘導コイルを配置した定着装置が提案されている。この定着装置では、予熱時に定着ローラ内部の予熱ヒータによって予熱を行うことにより、立ち上がり時間の短縮化を図るとともに、十分な予熱による定着効率の向上を図ることができる。
【０００６】
特許文献２には、定着ローラの外部に外部加熱制御手段により温度制御されるハロゲンヒータを内蔵した加熱ローラを備え、トナー像の画像情報に基づいて加熱ローラの加熱割合を変化させる定着装置が提案されている。この定着装置では、画像領域と圧接するローラの部位に十分な定着温度が得られるように、一方、非画像領域を圧接するローラの部位が加熱されないように、ハロゲンヒータへの電力供給を制御する。このように、ハロゲンヒータへ供給される電力を制御することにより、定着装置における無駄な熱エネルギー供給を抑制することができる。
【発明の開示】
【発明が解決しようとする課題】
【０００７】
上述したように、誘導加熱方式を用いた定着装置の特性を改善するための技術が種々提案されているものの、市場においては、起動特性の改良およびさらなる効率の向上の要求がなされている。
そこで、本発明は、立ち上がり時間の短縮化および消費電力の低減化を図ることができる定着装置および画像形成装置を提供することを目的とする。
【課題を解決するための手段】
【０００８】
請求項１記載の発明では、内部に低損失特性のヒータを有する加熱ローラと、前記加熱ローラと圧接して配設された加圧ローラと、電磁波により前記加熱ローラの表面に渦電流を生じさせて、前記加熱ローラの加熱を外部から誘導する加熱誘導手段と、を備え、前記加熱ローラと前記加圧ローラにより記録媒体が挟持されることにより、トナー像を前記記録媒体上に加熱溶着する熱ローラ定着方式を用いた定着装置であって、当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、前記加熱誘導手段は、前記起動時および前記定着時の初期段階に前記加熱ローラの誘導加熱処理を行い、前記ヒータは、前記定着時の前記初期段階以降における前記加熱ローラの加熱処理を行うことにより前記目的を達成する。
【０００９】
請求項２記載の発明では、内部に低損失特性のヒータを有する加熱ローラと、前記加熱ローラと圧接して配設された加圧ローラと、電磁波により前記加熱ローラの表面に渦電流を生じさせて、前記加熱ローラの加熱を外部から誘導する加熱誘導手段と、を備え、前記加熱ローラと前記加圧ローラにより記録媒体が挟持されることにより、トナー像を前記記録媒体上に加熱溶着する熱ローラ定着方式を用いた定着装置であって、当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、前記加熱誘導手段は、前記起動時および前記定着時の初期段階に前記加熱ローラの誘導加熱処理を行い、前記ヒータは、前記起動時および前記定着時の前記初期段階以降における前記加熱ローラの加熱処理を行うことにより前記目的を達成する。
【００１０】
請求項３記載の発明では、内部に低損失特性のヒータを有する加熱ローラと、前記加熱ローラと圧接して配設された加圧ローラと、電磁波により前記加熱ローラの表面に渦電流を生じさせて、前記加熱ローラの加熱を外部から誘導する加熱誘導手段と、を備え、前記加熱ローラと前記加圧ローラにより記録媒体が挟持されることにより、トナー像を前記記録媒体上に加熱溶着する熱ローラ定着方式を用いた定着装置であって、当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、前記加熱誘導手段は、前記起動時に前記加熱ローラの誘導加熱処理を行い、前記ヒータは、前記待機時および前記定着時における前記加熱ローラの加熱処理を行うことにより前記目的を達成する。
【００１１】
請求項４記載の発明では、内部に低損失特性のヒータを有する加熱ローラと、前記加熱ローラと圧接して配設された加圧ローラと、電磁波により前記加熱ローラの表面に渦電流を生じさせて、前記加熱ローラの加熱を外部から誘導する加熱誘導手段と、を備え、前記加熱ローラと前記加圧ローラにより記録媒体が挟持されることにより、トナー像を前記記録媒体上に加熱溶着する熱ローラ定着方式を用いた定着装置であって、当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、前記加熱誘導手段は、前記起動時に前記加熱ローラの誘導加熱処理を行い、前記ヒータは、前記起動時、前記待機時および前記定着時に渡って前記加熱ローラの加熱処理を行うことにより前記目的を達成する。
【００１２】
請求項５記載の発明では、内部に低損失特性のヒータを有する加熱ローラと、前記加熱ローラと同期周動するベルトを介して前記加熱ローラの熱が伝達される定着ローラと、前記定着ローラと圧接して配設された加圧ローラと、電磁波により前記加熱ローラの表面に渦電流を生じさせて、前記加熱ローラの加熱を外部から誘導する加熱誘導手段と、を備え、前記定着ローラと前記加圧ローラにより記録媒体が挟持されることにより、トナー像を前記記録媒体上に加熱溶着する熱ローラ定着方式を用いた定着装置であって、当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、前記加熱誘導手段は、前記起動時および前記定着時の初期段階に前記加熱ローラの誘導加熱処理を行い、前記ヒータは、前記定着時の前記初期段階以降における前記加熱ローラの加熱処理を行うことにより前記目的を達成する。
【００１３】
請求項６記載の発明では、内部に低損失特性のヒータを有する加熱ローラと、前記加熱ローラと同期周動するベルトを介して前記加熱ローラの熱が伝達される定着ローラと、前記定着ローラと圧接して配設された加圧ローラと、電磁波により前記加熱ローラの表面に渦電流を生じさせて、前記加熱ローラの加熱を外部から誘導する加熱誘導手段と、を備え、前記定着ローラと前記加圧ローラにより記録媒体が挟持されることにより、トナー像を前記記録媒体上に加熱溶着する熱ローラ定着方式を用いた定着装置であって、当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、前記加熱誘導手段は、前記起動時および前記定着時の初期段階に前記加熱ローラの誘導加熱処理を行い、前記ヒータは、前記起動時および前記定着時の前記初期段階以降における前記加熱ローラの加熱処理を行うことにより前記目的を達成する。
【００１４】
請求項７記載の発明では、内部に低損失特性のヒータを有する加熱ローラと、前記加熱ローラと同期周動するベルトを介して前記加熱ローラの熱が伝達される定着ローラと、前記定着ローラと圧接して配設された加圧ローラと、電磁波により前記加熱ローラの表面に渦電流を生じさせて、前記加熱ローラの加熱を外部から誘導する加熱誘導手段と、を備え、前記定着ローラと前記加圧ローラにより記録媒体が挟持されることにより、トナー像を前記記録媒体上に加熱溶着する熱ローラ定着方式を用いた定着装置であって、当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、前記加熱誘導手段は、前記起動時に前記加熱ローラの誘導加熱処理を行い、前記ヒータは、前記待機時および前記定着時における前記加熱ローラの加熱処理を行うことにより前記目的を達成する。
【００１５】
請求項８記載の発明では、内部に低損失特性のヒータを有する加熱ローラと、前記加熱ローラと同期周動するベルトを介して前記加熱ローラの熱が伝達される定着ローラと、前記定着ローラと圧接して配設された加圧ローラと、電磁波により前記加熱ローラの表面に渦電流を生じさせて、前記加熱ローラの加熱を外部から誘導する加熱誘導手段と、を備え、前記定着ローラと前記加圧ローラにより記録媒体が挟持されることにより、トナー像を前記記録媒体上に加熱溶着する熱ローラ定着方式を用いた定着装置であって、当該定着装置の状態を、前記加熱ローラおよび前記加圧ローラにより定着処理が実行される定着時、前記定着処理が実行される機会を待つ待機時、さらに前記待機時の状態となるように所定の温度まで前記加熱ローラの温度を上昇させる起動時に区分した場合において、前記加熱誘導手段は、前記起動時に前記加熱ローラの誘導加熱処理を行い、前記ヒータは、前記起動時、前記待機時および前記定着時に渡って前記加熱ローラの加熱処理を行うことにより前記目的を達成する。
【００１６】
請求項９記載の発明では。請求項１乃至請求項８のいずれか１の請求項に記載の定着装置を備えることにより前記目的を達成する。
【発明の効果】
【００１７】
請求項１または請求項５記載の発明によれば、定着装置の起動時および定着時の初期段階において、加熱誘導手段により加熱ローラを誘導加熱することにより、加熱ローラが所定の温度に達するまでの時間の短縮化を図ることができる。
請求項２または請求項６記載の発明によれば、定着装置の起動時において、加熱誘導手段およびヒータを併用して加熱ローラを加熱することにより、加熱ローラが所定の温度に達するまでの時間の短縮化を図ることができる。
請求項３または請求項７記載の発明によれば、起動時以降における加熱ローラの加熱を低損失特性のヒータによって行うことにより、定着装置における消費電力の低減化を図ることができる。
【００１８】
請求項４または請求項８記載の発明によれば、定着装置の起動時において、加熱誘導手段およびヒータを併用して加熱ローラを加熱することにより、加熱ローラが所定の温度に達するまでの時間の短縮化を図ることができ、さらに、起動時以降における加熱ローラの加熱を低損失特性のヒータによって行うことにより、定着装置における消費電力の低減化を図ることができる。
請求項９記載の発明によれば、消費電力の低減化および起動時間の短縮化を適切に図ることができる。
【発明を実施するための最良の形態】
【００１９】
以下、本発明の好適な実施の形態について、図１〜図３を参照して詳細に説明する。
図１は、本実施形態に係る定着装置の概略構成を示した図である。
本実施形態に係る定着装置は、加熱ヒータおよび誘導加熱装置を用いて定着ローラを加熱するタイプの熱ローラ定着方式を用いたトナー像６を用紙５に定着（固定）させる定着装置である。
なお、この定着装置は、図示されていないが、電子複写装置やプリンタ装置等の画像形成装置に搭載されている。
【００２０】
図１に示すように、本実施の形態に係る定着装置は、棒状ヒータ１が内部に配設された加熱ローラ３、この加熱ローラ３と圧接するように配置された加圧ローラ４、および加熱ローラ３の外側に定着ローラの外周部を覆うように配設された断面円弧状の誘導加熱コイル２により構成されている。
本実施の形態に係る定着装置では、加熱ローラ３は時計方向に回転され、加圧ローラ４は、反時計方向に従動回転される。これらのローラの回転によって、加熱ローラ３と加圧ローラ４の接触部（ニップ部）にトナー像６を担持した用紙５を引き込む。
そして、加熱ローラ３と加圧ローラ４とでトナー像６が形成された用紙５を挟持しつつ搬送するときに、熱と圧力によりトナー像６を加熱溶着させて用紙５に定着（固定）されるように構成されている。
なお、用紙５は、トナー像６が加熱ローラ３と接触する向きで搬送されるようになっている。
【００２１】
棒状ヒータ１は、ハロゲンヒータにより構成された定着ヒータであり、このハロゲンヒータに電力を供給することにより、加熱ローラ３を内部から加熱することができるようになっている。なお、ハロゲンヒータは、入力電力のほぼ１００％をヒータで消費することができる電気的効率のよい（損失の少ない）加熱装置である。
誘導加熱コイル２は、誘導磁束を発生させるコイルであり、この誘導加熱コイルに高周波電流を流すことにより、加熱ローラ３に渦電流を発生させることができる。
この誘導加熱コイル２の作用により加熱ローラ３に渦電流が発生すると、この渦電流によって加熱ローラ３の表面が加熱されるようになっている。即ち、この誘導加熱コイル２は、加熱ローラ３の加熱を誘導する誘導加熱手段を構成している。
【００２２】
次に、このように構成された定着装置における加熱ローラ３の加熱制御方法について説明する。
上述したように本実施の形態にかかる定着装置では、トナー像６を用紙５に加熱溶着させるために加熱ローラ３は、棒状ヒータ１および誘導加熱コイル２の作用によって加熱されるように構成されている。
図２（ａ）〜（ｄ）は、本実施の形態に係る定着装置における加熱ローラ３の加熱方法を加熱モード別に示した図である。
本実施の形態に係る定着装置における加熱ローラ３の加熱方法を４つのモード別に説明
する。
ここでは、４つの加熱モードを立ち上がり期間、待機時期間、定着時期間に区分した期間に基づいて説明する。なお、定着時期間は、さらに定着の初期段階である定着開始初期期間を設けて説明する。
【００２３】
定着装置における立ち上がり期間とは、定着装置を待機状態（スタンバイ状態）に移行するまでの起動期間を示す。この立ち上がり期間は、例えば、定着装置が搭載されている画像形成装置の電源がオンになるタイミングや画像形成装置がスタンバイ状態となるタイミングで開始され、加熱ローラ３が所定の待機温度まで上昇した時点で終了する。
待機時期間は、定着装置が稼働していない待機状態（スタンバイ状態）にある期間を示す。この待機時期間は、用紙５の搬送が開始された時点で終了する。
定着時期間は、用紙５の搬送が開始され、定着装置において加熱ローラ３および加圧ローラ４によってトナー像６の加熱溶着が行われている状態の期間を示す。この定着時期間は、用紙５の搬送が終了した時点で終了する。
また、定着時期間における定着開始初期期間は、加熱ローラ３および加圧ローラ４の回転が始まり、用紙５の搬送が開始される定着装置が稼動してから間もない期間を示す。
【００２４】
（第１加熱モード）
図２（ａ）は、加熱ローラ３の第１加熱モードを示した図である。
第１加熱モードは、図に示すように、立ち上がり期間および定着開始初期期間において誘導加熱コイル２を通電状態（オン状態）とし、待機時期間および定着開始初期以降において誘導加熱コイル２を非通電状態（オフ状態）とする。
そして、定着開始初期以降の定着時期間において棒状ヒータ１を通電状態（オン状態）とする。
このように、局部の急速加熱特性に優れた誘導加熱コイル２による加熱を立ち上がり期間および定着開始初期期間に用いることにより、加熱ローラ３を必要温度にまで上昇させる時間の短縮化を図ることができる。即ち、起動時間の短縮化を図ることができる。
また、外部の電力損失が無い棒状ヒータ１による加熱を定着開始初期以降の定着時期間に用いることにより、定着時期間における消費電力の低減化を図ることができる。
【００２５】
（第２加熱モード）
図２（ｂ）は、加熱ローラ３の第２加熱モードを示した図である。
第２加熱モードは、図に示すように、立ち上がり期間および定着開始初期期間において誘導加熱コイル２を通電状態（オン状態）とし、待機時期間および定着開始初期以降において誘導加熱コイル２を非通電状態（オフ状態）とする。
そして、立ち上がり期間および定着開始初期以降の定着時期間において棒状ヒータ１を通電状態（オン状態）とする。
このように、誘導加熱コイル２および棒状ヒータ１を併用して立ち上がり期間における加熱ローラ３の加熱を行うことにより、さらに加熱ローラ３を必要温度にまで上昇させる時間の短縮化を図ることができる。
また、棒状ヒータ１による加熱を定着開始初期以降の定着時期間に用いることにより、定着時期間における消費電力の低減化を図ることができる。
【００２６】
（第３加熱モード）
図２（ｃ）は、加熱ローラ３の第３加熱モードを示した図である。
第３加熱モードは、図に示すように、立ち上がり期間においてのみ誘導加熱コイル２を通電状態（オン状態）とする。
そして、待機時期間および定着時期間において棒状ヒータ１を通電状態（オン状態）とする。
このように、立ち上がり期間のみ誘導加熱コイル２を用いて加熱ローラ３を加熱し、それ以降は、棒状ヒータ１を用いて待機温度の保持、定着時期間の加熱をすることにより、用紙５の搬送が開始される直後であっても、十分に加熱ローラ３が加熱されているため、速やかにトナー像６の定着処理を施すことができる。
また、加熱ローラ３の加熱を主に外部の電力損失が無い棒状ヒータ１によって行うことにより、定着装置における消費電力の低減化を図ることができる。即ち、省エネルギー効果を得ることができる。
【００２７】
（第４加熱モード）
図２（ｄ）は、加熱ローラ３の第４加熱モードを示した図である。
第４加熱モードは、図に示すように、立ち上がり期間においてのみ誘導加熱コイル２を通電状態（オン状態）とする。
そして、立ち上がり期間、待機時期間および定着時期間に渡って棒状ヒータ１を通電状態（オン状態）とする。
このように、誘導加熱コイル２および棒状ヒータ１を併用して立ち上がり期間における加熱ローラ３の加熱を行うことにより、さらに加熱ローラ３を必要温度にまで上昇させる時間の短縮化を図ることができる。
また、棒状ヒータ１を用いて待機温度の保持、定着時期間の加熱をすることにより、用紙５の搬送が開始される直後であっても、十分に加熱ローラ３が加熱されているため、速やかにトナー像６の定着処理を施すことができる。
【００２８】
なお、本実施の形態に係る定着装置では、上述した４つの加熱モードのうちの何れかを画像形成装置の種類や仕様などに応じて任意に設定できるようになっている。
また、誘導加熱コイル２に流す高周波電流のオンオフ制御および棒状ヒータ１への通電のオンオフ制御は、図示しない制御において実行される。
【００２９】
次に、本実施の形態に係る定着装置の変形例について説明する。
図３は、本実施の形態に係る定着装置の変形例を示した図である。
なお、上述した図１に示す実施の形態と同一部分（重複する箇所）には、同一の符号を用い詳細な説明を省略する。
本実施の形態に係る定着装置の変形例では、図に示すように、回転駆動される加熱ローラ３と従動する定着ローラ７とに巻回されたエンドレスのベルト８を設ける。そして、このベルト８を介して加熱ローラ３の熱を定着ローラ７に伝えられるようになっている。
なお、用紙５は、トナー像６がベルト８と接触する向きで搬送されるようになっている。
【００３０】
この定着装置では、加熱ローラ３および定着ローラ７は反時計方向に回転され、定着ローラ７と圧接するように配置された加圧ローラ４は、時計方向に回転される。なお、加熱ローラ３、定着ローラ７、加圧ローラ４、これらの３つのローラは、同期して回転および周動する構成となっている。
定着ローラ７および加圧ローラ４のローラの回転によって、定着ローラ７および加圧ローラ４の接触部（ニップ部）にトナー像６を担持した用紙５を引き込む。
そして、定着ローラ７および加圧ローラ４とでトナー像６が形成された用紙５を挟持しつつ搬送するときに、熱と圧力によりトナー像６を加熱溶着させて用紙５に定着（固定）されるように構成されている。
このように構成された定着装置においても、図２（ａ）〜（ｄ）に示す加熱モードと同様の４つの加熱モードを任意に設定して加熱ローラ３の加熱を行う。なお、加熱モードの詳細な説明は省略する。
【図面の簡単な説明】
【００３１】
【図１】本実施形態に係る定着装置の概略構成を示した図である。
【図２】（ａ）は、加熱ローラの第１加熱モードを示した図であり、（ｂ）は、加熱ローラの第２加熱モードを示した図であり、（ｃ）は、加熱ローラの第３加熱モードを示した図であり、（ｄ）は、加熱ローラの第４加熱モードを示した図である。
【図３】本実施の形態に係る定着装置の変形例を示した図である。
【符号の説明】
【００３２】
１    棒状ヒータ
２    誘導加熱コイル
３    加熱ローラ
４    加圧ローラ
５    用紙
６    トナー像
７    定着ローラ
８    ベルト
【図１】
2006078603.tif 000003
【図２】
2006078603.tif 000004
【図３】
2006078603.tif 000005